(57)【要約】【課題】補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができる既設コンクリート構造物の補強方法を提供すること。【解決手段】高架橋ＰＣ梁等の既設コンクリート構造物１の周囲を補強材２により取り囲んで閉合するとともに、既設コンクリート構造物１の端部と補強材２との間を加圧手段３により押し広げて空隙４を形成し、この空隙に充填材５を充填するようにする。【選択図】  図１
2004278142.tif 000002
【特許請求の範囲】
【請求項１】
既設コンクリート構造物の周囲を補強材により取り囲んで閉合するとともに、既設コンクリート構造物の端部と補強材との間を加圧手段により押し広げて空隙を形成し、該空隙に充填材を充填することを特徴とする既設コンクリート構造物の補強方法。
【請求項２】
補強材の端部にボルト、ネジジャッキ等の固定用部材を螺合し、前記空隙を該固定用部材を締着することにより保持し、該保持した空隙に充填材を充填することを特徴とする請求項１記載の既設コンクリート構造物の補強方法。
【請求項３】
既設コンクリート構造物の端部に補強材を配設し、該補強材の外から既設コンクリート構造物を加圧するとともに、既設コンクリート構造物の側部に補強材を配設し、該側部の補強材と前記端部の補強材とを連結して閉合した後、前記加圧を解除することを特徴とする既設コンクリート構造物の補強方法。
【請求項４】
前記既設コンクリート構造物と補強材とを接合一体化することを特徴とする請求項１、２又は３記載の既設コンクリート構造物の補強方法。
【発明の詳細な説明】
【０００１】
【発明の属する技術分野】
本発明は、既設コンクリート構造物の補強方法に関し、特に、補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができる既設コンクリート構造物の補強方法に関するものである。
【０００２】
【従来の技術】
従来、コンクリート構造物の曲げ補強においては、鋼板や連続繊維等の面的引張材を既設コンクリート構造物外側に接着したり、巻き立てる方法が主に実施されている。
しかしながら、これらの方法では、既設コンクリート構造物にプレストレスを付与するのは困難であった。
【０００３】
一方、既設コンクリート構造物にプレストレスを付与する方法としては、ＰＣ鋼棒、ＰＣ鋼撚り線等の緊張材を部材外部に設置する方法が実用化されている。
しかしながら、既設コンクリート構造物との一体化が困難であり、終局耐力を向上させるためには、偏向ブロック等の緊張材を中間で支持する部材を既設コンクリート構造物に設置する必要がある等、施工に手数を要するという問題があった。
【０００４】
【発明が解決しようとする課題】
本発明は、上記従来の既設コンクリート構造物の補強方法が有する問題点に鑑み、補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができる既設コンクリート構造物の補強方法を提供することを目的とする。
【０００５】
【課題を解決するための手段】
上記目的を達成するため、本第１発明の既設コンクリート構造物の補強方法は、既設コンクリート構造物の周囲を補強材により取り囲んで閉合するとともに、既設コンクリート構造物の端部と補強材との間を加圧手段により押し広げて空隙を形成し、該空隙に充填材を充填することを特徴とする。
【０００６】
この既設コンクリート構造物の補強方法は、既設コンクリート構造物の周囲を補強材により取り囲んで閉合するとともに、既設コンクリート構造物の端部と補強材との間を加圧手段により押し広げて空隙を形成し、該空隙に充填材を充填することから、補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができ、また、補強面を補強材によって外装することができるため景観面を向上させることができる。
【０００７】
この場合において、補強材の端部にボルト、ネジジャッキ等の固定用部材を螺合し、前記空隙を該固定用部材を締着することにより保持し、該保持した空隙に充填材を充填することができる。
【０００８】
これにより、押し広げ形成した空隙を保持しながら、容易に充填材を充填することができる。
【０００９】
また、前記既設コンクリート構造物と補強材とを接合一体化することができる。
【００１０】
これにより、既設コンクリート構造物の剥落防止や水分供給遮断を図り、耐久性を大きく向上させることができる。
【００１１】
一方、同じ目的を達成するため、本第２発明の既設コンクリート構造物の補強方法は、既設コンクリート構造物の端部に補強材を配設し、該補強材の外から既設コンクリート構造物を加圧するとともに、既設コンクリート構造物の側部に補強材を配設し、該側部の補強材と前記端部の補強材とを連結して閉合した後、前記加圧を解除することを特徴とする。
【００１２】
この既設コンクリート構造物の補強方法は、既設コンクリート構造物の端部に補強材を配設し、該補強材の外から既設コンクリート構造物を加圧するとともに、既設コンクリート構造物の側部に補強材を配設し、該側部の補強材と前記端部の補強材とを連結して閉合した後、前記加圧を解除することから、補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができ、また、補強面を補強材によって外装することができるため景観面を向上させることができる。
【００１３】
この場合において、前記既設コンクリート構造物と補強材とを接合一体化することができる。
【００１４】
これにより、既設コンクリート構造物の剥落防止や水分供給遮断を図り、耐久性を大きく向上させることができる。
【００１５】
【発明の実施の形態】
以下、本発明の既設コンクリート構造物の補強方法の実施の形態を図面に基づいて説明する。
【００１６】
図１に、本発明の既設コンクリート構造物の補強方法の第１実施例を示す。
この既設コンクリート構造物の補強方法は、例えば、高架橋ＰＣ梁等の既設コンクリート構造物１の周囲を補強材２により取り囲んで閉合するとともに、既設コンクリート構造物１の端部と補強材２との間を加圧手段３により押し広げて空隙４を形成し、該空隙に充填材５を充填する。
【００１７】
補強材２は、本実施例では鋼板からなり、例えば、既設コンクリート構造物１の両端部にそれぞれ配設した厚肉の補強材２１と、既設コンクリート構造物１の側部に配設した板状の補強材２２とを溶接により箱状に一体化している。
両端部の補強材２１には複数のボルト、ネジジャッキ等の固定用部材６が貫通するように螺合されるとともに、該補強材２１の中央部には、加圧手段３を挿入するための凹部２１ａが形成されている。
この場合、側部の補強材２２は、高強度の繊維からなる帯状体（図示省略）により構成することもできる。
【００１８】
加圧手段３は、本実施例では複数のジャッキ７が用いられており、各ジャッキ７は、図２に示すように、頭部に配設したＺ字状の掛け金８を補強材２１の厚肉部２１ｂに掛合してジャッキアップすることにより、既設コンクリート構造物１の端部と補強材２１との間を押し広げて空隙４を形成する。
【００１９】
ジャッキ７により空隙４を形成した後は、図１（ｃ）に示すように、前記固定用部材６を締着することにより空隙４を保持し、図１（ｄ）に示すように、ジャッキ７を取り外してから、保持した空隙４にコンクリート等の充填材５を充填し固化させる。
これにより、押し広げ形成した空隙４を保持しながら、容易に充填材５を充填することができる。
この場合、加圧手段３として各固定用部材６を使用し、これにより、前記ジャッキ７を省略することも可能である。
【００２０】
そして、既設コンクリート構造物１と側部の補強材２２とを、合成樹脂や接着剤９等により接合して一体化する。
これにより、既設コンクリート構造物１の剥落防止や水分供給遮断を図り、終局耐力を大きく向上させることができる。
【００２１】
かくして、本第１実施例の既設コンクリート構造物の補強方法は、既設コンクリート構造物１の周囲を補強材２により取り囲んで閉合するとともに、既設コンクリート構造物１の端部と補強材２との間を加圧手段３により押し広げて空隙４を形成し、該空隙４に充填材５を充填することから、補強材２に緊張力を与え、補強材２及び緊張力による応力によって既設コンクリート構造物１の曲げ等に対する耐力補強を行うとともに、補強材２と既設コンクリート構造物１との一体化も容易にして、既設コンクリート構造物１の剥落防止や水分供給遮断を図り、耐久性を大きく向上させることができ、また、補強面を補強材によって外装することができるため景観面を向上させることができる。
【００２２】
次に、図３を参照して、本発明の既設コンクリート構造物の補強方法の第２実施例を説明する。
この既設コンクリート構造物の補強方法は、図２（ａ）に示すように、既設コンクリート構造物１の端部に補強材２１を配設し、該補強材２１の外から既設コンクリート構造物１を加圧するとともに、図２（ｂ）に示すように、既設コンクリート構造物１の側部に補強材２２を配設し、該側部の補強材２２と前記端部の補強材２１とを連結して閉合した後、図２（ｄ）に示すように、前記加圧を解除する。
【００２３】
補強材２は、本実施例では鋼板からなり、既設コンクリート構造物１の両端部にそれぞれ配設したコ字状の補強材２１と、既設コンクリート構造物１の側部に配設した板状の補強材２２とを、例えば溶接により箱状に一体化することができる。
【００２４】
加圧手段３は、本実施例では仮設プレストレス導入装置１０が用いられており、該仮設プレストレス導入装置１０は、例えば、既設コンクリート構造物１の両端部に配設した加圧板１０ａをＰＣ鋼棒、ＰＣ鋼撚り線等の緊張材１０ｂにより締め付ける既知の装置を使用することができる。
【００２５】
加圧手段３による加圧を解除する前には、図２（ｃ）に示すように、既設コンクリート構造物１と補強材２とを、合成樹脂や接着剤９等により接合して一体化する。
これにより、既設コンクリート構造物１の剥落防止や水分供給遮断を図り、終局耐力を大きく向上させることができる。
【００２６】
かくして、本第２実施例の既設コンクリート構造物の補強方法は、既設コンクリート構造物１の端部に補強材２１を配設し、該補強材２１の外から既設コンクリート構造物１を加圧するとともに、既設コンクリート構造物１の側部に補強材２２を配設し、該側部の補強材２２と前記端部の補強材２１とを連結して閉合した後、前記加圧を解除することから、補強材２に緊張力を与え、補強材２及び緊張力による応力によって既設コンクリート構造物１の曲げ等に対する耐力補強を行うとともに、補強材２と既設コンクリート構造物１との一体化も容易にして、既設コンクリート構造物１の剥落防止や水分供給遮断を図り、耐久性を大きく向上させることができ、また、補強面を補強材によって外装することができるため景観面を向上させることができる。
【００２７】
以上、本発明の実施例を説明したが、本発明の既設コンクリート構造物の補強方法は、この実施例の記載に限定されるものではなく、例えば、既設コンクリート構造物の形状や補強材の材質、加圧手段等は、本発明の趣旨を逸脱しない範囲において適宜に変更することが可能である。
【００２８】
【発明の効果】
本第１発明の既設コンクリート構造物の補強方法によれば、既設コンクリート構造物の周囲を補強材により取り囲んで閉合するとともに、既設コンクリート構造物の端部と補強材との間を加圧手段により押し広げて空隙を形成し、該空隙に充填材を充填することから、補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができ、また、補強面を補強材によって外装することができるため景観面を向上させることができる。
【００２９】
また、補強材の端部にボルト、ネジジャッキ等の固定用部材を螺合し、前記空隙を該固定用部材を締着することにより保持し、該保持した空隙に充填材を充填することにより、押し広げ形成した空隙を保持しながら、容易に充填材を充填することができる。
【００３０】
また、前記既設コンクリート構造物と補強材とを接合一体化することにより、既設コンクリート構造物の剥落防止や水分供給遮断を図り、耐久性を大きく向上させることができる。
【００３１】
一方、本第２発明の既設コンクリート構造物の補強方法によれば、既設コンクリート構造物の端部に補強材を配設し、該補強材の外から既設コンクリート構造物を加圧するとともに、既設コンクリート構造物の側部に補強材を配設し、該側部の補強材と前記端部の補強材とを連結して閉合した後、前記加圧を解除することから、補強材に緊張力を与え、補強材及び緊張力による応力によって既設コンクリート構造物の曲げ等に対する耐力補強を行うとともに、補強材と既設コンクリート構造物との一体化も容易にして、既設コンクリート構造物の剥落防止や水分供給遮断を図り、耐久性を大きく向上させることができ、また、補強面を補強材によって外装することができるため景観面を向上させることができる。
【００３２】
また、前記既設コンクリート構造物と補強材とを接合一体化することにより、既設コンクリート構造物の剥落防止や水分供給遮断を図り、耐久性を大きく向上させることができる。
【図面の簡単な説明】
【図１】本発明の既設コンクリート構造物の補強方法の第１実施例を示す工程図である。
【図２】同実施例のジャッキを示す斜視図である。
【図３】本発明の既設コンクリート構造物の補強方法の第２実施例を示す工程図である。
【符号の説明】
１    既設コンクリート構造物
２    補強材
２１  端部の補強材
２１ａ  凹部
２１ｂ  厚肉部
２２  側部の補強材
３    加圧手段
４    空隙
５    充填材
６    固定用部材（ボルト）
７    ジャッキ
８    掛け金
９    接着剤
１０  仮設プレストレス導入装置
１０ａ  加圧板
１０ｂ  緊張材（ＰＣ鋼棒）
【図１】
2004278142.tif 000003
【図２】
2004278142.tif 000004
【図３】
2004278142.tif 000005